(57)【特許請求の範囲】
【請求項１】
パネル(3)が取付保持される窓孔(102)の周縁内面に取り付けた固定金具(1) のパネル取付側の側面に設けた四角形のクリップ取付孔(12)に嵌合保持される取付部(21)に連設したパネル押さえ部(22)を常時パネル受部側に附勢する弾性を持たせたものであって、前記取付部(21)は、パネル押さえ部(22)の基端両側に立設した一対の垂直支持板部(211)、(211)の間に臨む常時上方に附勢するバネ板部(214)を備えるとともに該バネ板部(214)の後端上面にクリップ取付孔(12)の上縁に係合する係合低段部(215)を設けたものであることを特徴するパネル固定用クリップ。
【請求項２】
パネル(3)が取付保持される窓孔(102)の周縁内面に取り付けた固定金具(1) のパネル取付側の側面に設けた四角形のクリップ取付孔(12)に嵌合保持される取付部(21)にパネル押さえ部(22)を設けるとともに、前記取付部(21)は、パネル押さえ部(22)の基端両側に立設した一対の垂直支持板部(211)、(211)の間に臨む常時上方に附勢するバネ板部(214)を連設するとともに該バネ板部(214)の後端上面にクリップ取付孔(12)の上縁に係合する係合低段部(215)を設けたものとして、さらに、前記取付部(21)の基端底部にクリップ取付孔(12)の下端縁(12a) に係合する凹部(216) を設けたことを特徴とするパネル固定用クリップ。
【請求項３】
取付部(21)の基端部の高さをクリップ取付孔(12)の高さと同一としたうえ基端上部に凹部(216) の深さと同一高さの凸部(217) を形成した請求項２に記載のパネル固定用クリップ。
【発明の詳細な説明】
【０００１】
【発明の属する技術分野】
本発明は、分電盤、配電盤、ラック等の盤類の扉や側板に設けた窓孔にアクリル板、硝子板やパンチングメタル等のパネルを取付保持するため使用するパネル固定用クリップに関するものである。
【０００２】
【従来の技術】
従来のパネル固定用クリップは、図５に示すように窓孔５１の周縁内面に取り付けた固定金具５２に設けたクリップ取付孔５２ａにパネル固定用クリップの取付部５３ａを取り付けたうえパネル押さえ部５３ｂをパネル５４の表面に当接させ、窓孔５１の周縁内面に形成したパネル受部に貼着した緩衝用パッキン５５の弾発力を利用してパネル押さえ部５３ｂとパネル受部との間にパネル５４を挟持して取付固定するものであった。
【０００３】
【発明が解決しようとする課題】
ところが、このような従来のものにあっては、図６に示すようにパネル５４の外面から強い押圧力がかかった場合にパネル固定用クリップが回転して外れる虞があった。
【０００４】
【課題を解決するための手段】
前記の課題を解決するためになされた本発明のパネル固定用クリップは、パネルが取付保持される窓孔の周縁内面に取り付けた固定金具のパネル取付側の側面に設けた四角形のクリップ取付孔に嵌合保持される取付部に連設したパネル押さえ部を常時パネル受部側に附勢する弾性を持たせたものであって、前記取付部は、パネル押さえ部の基端両側に立設した一対の垂直支持板部の間に臨む常時上方に附勢するバネ板部を備えるとともに該バネ板部の後端上面にクリップ取付孔の上縁に係合する係合低段部を設けたものを請求項１に記載の発明とする。また、パネルが取付保持される窓孔の周縁内面に取り付けた固定金具のパネル取付側の側面に設けた四角形のクリップ取付孔に嵌合保持される取付部にパネル押さえ部を設けるとともに、前記取付部は、パネル押さえ部の基端両側に立設した一対の垂直支持板部の間に臨む常時上方に附勢するバネ板部を連設するとともに該バネ板部の後端上面にクリップ取付孔の上縁に係合する係合低段部を設けたものとして、さらに、前記取付部の基端底部にクリップ取付孔の下端縁に係合する凹部を設けたものを請求項２に記載の発明とする。そして、請求項２に記載の発明において、取付部の基端部の高さをクリップ取付孔の高さと同一としたうえ基端上部に凹部の深さと同一高さの凸部を形成したものを請求項３に記載の発明としたものである。
【０００５】
【発明の実施の形態】
次に、本発明の好ましい実施の形態を図面に基づき説明する。
１は盤類の扉１０１に設けたパネル３が取り付けられる窓孔１０２の周縁内面に取り付けた固定金具であり、該固定金具１は四角形のクリップ取付孔１２を設けたパネル取付側の側面である起立板部１１の基端前方に水平脚板部１３を折曲形成するとともに該起立板部１１の上端から後部に向け覆板部１４を連設したうえ該覆板部１４の後端に起立板部１１に対向する起立板部１１ａを連設した外鍔付溝形鋼を反転したもので、外鍔に相当する水平脚板部１３を窓孔１０２の周縁内面に溶接等の手段で取り付けたものである。
【０００６】
２は前記クリップ取付孔１２に嵌合保持される取付部２１にパネル押さえ部２２を連設したパネル固定用クリップであり、該パネル固定用クリップ２のパネル押さえ部２２は常時パネル受部側に附勢する弾性を持たせたものである。すなわち、パネル固定用クリップ２は弾性力のある合成樹脂材例えばポリエチレン樹脂で一体に成形してパネル押さえ部２２の基端側を上向き傾斜板部２２ａに形成して常時パネル受部側に附勢する弾性を持たせたものとしている。
【０００７】
また、前記取付部２１は、パネル押さえ部２２の基端両側に立設した一対の垂直支持板部２１１、２１１の外側に張設した上端面を先端側下向傾斜面に形成した挿入案内板部２１２、２１２の先端間に連設した前枠部２１３の上端に前記一対の垂直支持板部２１１、２１１の間に臨む常時上方に附勢するバネ板部２１４を連設するとともに該バネ板部２１４の後端上面にクリップ取付孔１２の上縁に係合する係合低段部２１５を設けたものである。そして、該取付部２１の基端底部すなわち挿入案内板部２１２、２１２の基端底部にクリップ取付孔１２の下端縁１２ａに係合する凹部２１６を設けている。さらに、取付部２１の基端部すなわち挿入案内板部２１２、２１２の基端部の高さをクリップ取付孔１２の高さと同一としたうえ基端上部に前記凹部２１６の深さと同一高さの凸部２１７を形成してある。
【０００８】
このように構成されたものは、盤類の扉１０１の設けた窓孔１０２の周縁内面に取り付けた固定金具１の内側に形成されるパネル受部１０３にパネル３の表面周縁を支持させたうえパネル固定用クリップ２の取付部２１を固定金具１のクリップ取付孔１２に嵌合保持させて、パネル押さえ部２２をパネル３の裏面に当接させればパネル３がパネル受部１０３とパネル押さえ部２２とにより挟持されて窓孔１０２に取り付けられることとなる。
【０００９】
この場合にパネル押さえ部２２が常時パネル受部側に附勢する弾性を持たせたものであれば、パネル３に外部から手を押す等の強い押圧力が加わっても、パネル押さえ部２２が弾性変形して浮き上がるのみでパネル固定用クリップは外れる虞がなく、押圧力が解除されればパネル押さえ部２２は旧状に復帰してパネル３をパネル受部１０３との間で的確に挟持するものである。また、パネル押さえ部２２をパネル３の間に緩衝用パッキングを介在させることなくてもがたつくことなく取り付けできるものである。さらに、このようにパネル押さえ部２２に弾性を持たせたことにより、例えば、窓用のパネル３としてアクリル板を使用している標準仕様のものを、板厚の異なる硝子板やパンチングメタルに変更する場合に該パネル押さえ部２２が弾性により板厚調整機能を発揮するので固定金具１や固定用クリップ２を変更する必要がなく図３に示すように同一のもので対応できるものである。
【００１０】
また、パネル固定用クリップ２の取付部２１を、前記したようにパネル押さえ部２２の基端両側に立設した一対の垂直支持板部２１１、２１１の外側に張設した上端面を先端側下向傾斜面に形成した挿入案内板部２１２、２１２の先端間に連設した前枠部２１３の上端に前記一対の垂直支持板部２１１、２１１の間に臨む常時上方に附勢するバネ板部２１４を連設するとともに該バネ板部２１４の後端上面にクリップ取付孔１２の上縁に係合する係合低段部２１５を設けものであるから、取付部２１の固定金具１のクリップ取付孔１２への取り付けは、挿入案内板部２１２、２１２をクリップ取付孔１２の両側縁に添わせて嵌合すればバネ板部２１４の上面が上方への附勢をクリップ取付孔１２の上縁に規制されながら差し込まれて、垂直支持板部２１１、２１１が固定金具１の外面に当接すると、バネ板部２１４の弾発力で該バネ板部２１４の後端上面に設けた係合低段部２１５がクリップ取付孔１２の上縁に係合されてワンタッチでクリップ取付孔１２に的確に保持されて取り付けできるものである。この場合に取付部２１の基端底部すなわち挿入案内板部２１２、２１２の基端底部にクリップ取付孔１２の下端縁１２ａに係合する凹部２１６を設けたものとするとにより、バネ板部２１４の後端上面に設けた係合低段部２１５がクリップ取付孔１２の上縁に係合する際にバネ板部２１４の弾発力の反力で凹部２１６がクリップ取付孔１２の下端縁１２ａと係合することとなる。
【００１１】
このように取付部２１の基端底部すなわち挿入案内板部２１２、２１２の基端底部に設けた凹部２１６がクリップ取付孔１２の下端縁１２ａにバネ板部２１５の弾発下で係合されているので、パネル押さえ部２２が常時パネル受部側に附勢する弾性を持たせたものでなくともパネル３に外部から手で押すなどの強い押圧力が加わってもパネル固定用クリップ２は取付部２１の下端が内側にずれて回転して外れる虞もないものである。なお、パネル押さえ部２２が常時パネル受部側に附勢する弾性を持たせたものであることが緩衝用パッキングを不要としてより好ましいことは勿論である。
【００１２】
さらに、取付部２１の基端部即ち挿入案内板部２１２、２１２の基端部の高さをクリップ取付孔１２の高さと同一としたうえ基端上部に前記凹部２１６の深さと同一高さの凸部２１７を形成したものとしておけば、該凸部２１７の上端がクリップ取付孔１２の上端縁１２ｂに当接してクリップ取付孔１２内における上下方向の移動が完全に規制されるので、より強い押圧力が加わった場合においてもパネル固定用クリップ２が回転して外れる虞のないものである。
【００１３】
また、盤内への機器取付作業の際に取付部２１に誤って触れてパネル固定用クリップ２が外れるのを防止するため、該取付部２１が露呈しないように、固定金具１を図１から図３に示すようにクリップ取付孔１２を設けた起立板部１１の上端から後部に向け覆板部１４を連設したうえ該覆板部１４の後端に起立板部１１に対向する起立板部１１ａを連設したものとした場合に、パネルの交換する必要がある場合に固定用クリップ２を外すには起立板部１１に対向する起立板部１１ａにクリップ取付孔１２に対向させてドライバー挿通孔１５を設けて、一対の垂直支持板部２１１、２１１の間に臨む常時上方に附勢するバネ板部２１４の先端を下方に押圧して該バネ板部２１４の係合低段部２１５のクリップ取付孔１２の上縁との係合を解くとともに、ドライバー挿通孔１５からドライバーを差し込んで取付部２１の前枠部２１３の下端を押し上げれば、挿入案内板部２１２、２１２の上端面に形成した下向傾斜面がクリップ取付孔１２の上縁に案内されてクリップ取付孔１２から外れることとなる。
【００１４】
【発明の効果】
以上に説明したように、請求項１に記載の発明に係るパネル固定用クリップは、パネル押さえ部が常時パネル受部側に附勢する弾性を持たせたものであり、また、請求項２に記載の発明に係るパネル固定用クリップは、取付部の基端底部クリップ取付孔の下端縁に係合する凹部を設けたものであるから、パネルに外部から手で押すなどの強い押圧力が加わってもパネル固定用クリップが外れる虞がないものである。さらに、請求項１に記載の発明に係るパネル固定用クリップにあっては板厚の異なるパネルの変更にも対応できるものである。
従って、従来のパネル固定用クリップの問題点を解決したものとして業界にもたらす益大なものである。
【図面の簡単な説明】
【図１】  本発明の実施の形態を示す一部切欠斜視図である。
【図２】  本発明の実施の形態を示す一部切欠側面図である。
【図３】  本発明の実施の形態を態様を異にして示す一部切欠側面図である。
【図４】  本発明の実施の形態を示す斜視図である。
【図５】  従来例を示す一部切欠側面図である。
【図６】  従来例を態様を異にして示す一部切欠側面図である。
【符号の説明】
１    固定金具
12    クリップ取付孔
12a   下端縁
21    取付部
22    パネル押さえ部
211   垂直支持板部
212   挿入案内板部
214   バネ板部
215   係合低段部
216   凹部
217   凸部
【図１】
0003723054.tif 000002
【図２】
0003723054.tif 000003
【図３】
0003723054.tif 000004
【図４】
0003723054.tif 000005
【図５】
0003723054.tif 000006
【図６】
0003723054.tif 000007